(57)【要約】【課題】取付け対象物に設けられた直線状に延びるベース金具に数多くの箱状機器を設置する。【解決手段】アンテナや通信制御機器等の箱状機器２を取付け対象物に設けられた直線状に延びるベース金具３に取り付けるための箱状機器取付け金具１であって、ベース金具３に固定される第１金具１１と、第１金具１１に固定される第１金具固定部およびその第１金具固定部に対しほぼ９０度曲げられて箱状機器２の背面側が固定される箱状機器固定部を有する平面視Ｌ字形状の第２金具１２とを備え、ベース金具３に対し箱状機器２の背面２１が直交するように箱状機器２を取付ける。【選択図】図３
2020028156.tif 000002
【特許請求の範囲】
【請求項１】
アンテナや通信制御機器等の箱状機器を取付け対象物に設けられた直線状に延びるベース金具に取り付けるための箱状機器取付け金具であって、
前記ベース金具に固定される第１金具と、
前記第１金具に固定される第１金具固定部およびその第１金具固定部に対しほぼ９０度の角度で延びて前記箱状機器の背面側が固定される箱状機器固定部を有する平面視Ｌ字形状の第２金具とを備え、
前記ベース金具に対し前記箱状機器の背面が直交するように設置されることを特徴とする箱状機器取付け金具。
【請求項２】
請求項１記載の箱状機器取付け金具において、
前記箱状機器の背面側には、当該箱状機器取付け金具に取付けるための複数の機器取付けネジが設けられている一方、
前記第２金具の前記箱状機器固定部における前記複数の機器取付けネジに対応する箇所には、前記機器取付けネジの頭部が挿入可能なネジ頭部通し孔部と、そのネジ頭部通し孔部と連続して前記機器取付けネジの頭部の外径よりも小さく、前記機器取付けネジの軸部を通す軸部通し孔部とを有する機器取付けネジ係合孔が設けられていることを特徴とする箱状機器取付け金具。
【請求項３】
請求項２記載の箱状機器取付け金具において、
前記第２金具の前記箱状機器固定部は、側面視、台形の下辺左右両側にフランジを設けた形状で、その台形形状の上底と平行な上側面部と、傾斜辺と平行な一対の傾斜面部と、下底と平行な一対のフランジ部とを有し、
前記ネジ頭部通し孔部は、前記箱状機器固定部の一対の傾斜面部の内、上側となる傾斜面部に形成されている一方、
前記軸部通し孔部は、前記傾斜面部に形成されたネジ頭部通し孔部と連続して前記上側面部に形成されていることを特徴とする箱状機器取付け金具。
【請求項４】
請求項１〜請求項３のいずれか一の請求項に記載の箱状機器取付け金具において、
前記第２金具の第１金具固定部には、前記第１金具に取り付けられるためのボルト孔が設けられており、そのボルト孔は、前記ベース金具の長手方向に長い長孔であることを特徴とする箱状機器取付け金具。
【発明の詳細な説明】
【技術分野】
【０００１】
本発明は、アンテナや通信制御機器等の箱状機器を取付け対象物に設けられた直線状に延びるベース金具に取り付けるための箱状機器取付け金具に関する。
【背景技術】
【０００２】
アンテナや通信制御機器等の箱状機器を取付け対象物に設けられた直線状に延びるベース金具に取り付けるための箱状機器取付け金具として、例えば、箱状機器において表面積の広い背面側を固定する箱状機器取付け金具を提案している（例えば、特許文献１，２参照。）。
【先行技術文献】
【特許文献】
【０００３】
【特許文献１】特開２０１５-１４９８０６号公報
【特許文献２】特開２０１４-０４２３９２号公報
【発明の概要】
【発明が解決しようとする課題】
【０００４】
ところで、最近は、携帯電話やスマホ、タブレット、パソコン等の無線通信機器の増大に伴い、アンテナや通信制御機器等の箱状機器の設置台数も増大している。
【０００５】
しかし、上述の特許文献１，２に記載された箱状機器取付け金具では、箱状機器において表面積の広い背面側を、取付け対象物に設けられた直線状に延びるベース金具に固定するように構成しているので、数多くの箱状機器を設置できないという問題があった。
【０００６】
そこで、本発明は以上の問題点に着目してなされたもので、取付け対象物に設けられた直線状に延びるベース金具に数多くの箱状機器を設置することができる箱状機器取付け金具を提供することを目的とする。
【課題を解決するための手段】
【０００７】
上記課題を解決するため、本発明に係る箱状機器取付け金具は、アンテナや通信制御機器等の箱状機器を取付け対象物に設けられた直線状に延びるベース金具に取り付けるための箱状機器取付け金具であって、前記ベース金具に固定される第１金具と、前記第１金具に固定される第１金具固定部およびその第１金具固定部に対しほぼ９０度の角度で延びて前記箱状機器の背面側が固定される箱状機器固定部を有する平面視Ｌ字形状の第２金具とを備え、前記ベース金具に対し前記箱状機器の背面が直交するように設置されることを特徴とする。
また、本発明に係る箱状機器取付け金具では、前記箱状機器の背面側には、当該箱状機器取付け金具に取付けるための複数の機器取付けネジが設けられている一方、前記第２金具の前記箱状機器固定部における前記複数の機器取付けネジに対応する箇所には、前記機器取付けネジの頭部が挿入可能なネジ頭部通し孔部と、そのネジ頭部通し孔部と連続して前記機器取付けネジの頭部の外径よりも小さく、前記機器取付けネジの軸部を通す軸部通し孔部とを有する機器取付けネジ係合孔が設けられていることも特徴とする。
また、本発明に係る箱状機器取付け金具では、前記第２金具の前記箱状機器固定部は、側面視、台形の下辺左右両側にフランジを設けた形状で、その台形形状の上底と平行な上側面部と、傾斜辺と平行な一対の傾斜面部と、下底と平行な一対のフランジ部とを有し、前記ネジ頭部通し孔部は、前記箱状機器固定部の一対の傾斜面部の内、上側となる傾斜面部に形成されている一方、前記軸部通し孔部は、前記傾斜面部に形成されたネジ頭部通し孔部と連続して前記上側面部に形成されていることも特徴とする。
また、本発明に係る箱状機器取付け金具では、前記第２金具の第１金具固定部には、前記第１金具に取り付けられるためのボルト孔が設けられており、そのボルト孔は、前記ベース金具の長手方向に長い長孔であることも特徴とする。
【発明の効果】
【０００８】
本発明に係る箱状機器取付け金具によれば、アンテナや通信制御機器等の箱状機器を取付け対象物に設けられた直線状に延びるベース金具に固定される第１金具と、第１金具に固定される第１金具固定部およびその第１金具固定部に対しほぼ９０度の角度で延びて箱状機器の背面側が固定される箱状機器固定部を有する平面視Ｌ字形状の第２金具とを備え、ベース金具に対して箱状機器の背面が直交するように設置する。
そのため、本発明に係る箱状機器取付け金具によれば、取付け対象物に設けられたベース金具に数多くの箱状機器を設置することができる。
【図面の簡単な説明】
【０００９】
【図１】本発明に係る実施形態１の箱状機器取付け金具を例えば２組、所定間隔を開けた水平金物に取り付ける場合を示す斜視図である。
【図２】本発明に係る実施形態１の箱状機器取付け金具を例えば２組、所定間隔を開けた水平金物に取り付けた状態を示す側面図である。
【図３】本発明に係る実施形態１の箱状機器取付け金具の斜視図である。
【図４】本発明に係る実施形態１の箱状機器取付け金具の平面図である。
【図５】本発明に係る実施形態１の箱状機器取付け金具の正面図である。
【図６】本発明に係る実施形態１の箱状機器取付け金具の左側面図である。
【図７】本発明に係る実施形態１の箱状機器取付け金具を構成する第１金具の斜視図である。
【図８】（ａ）〜（ｃ）それぞれ本発明に係る実施形態１の箱状機器取付け金具を構成する第１金具の平面図、正面図、左側面図である。
【図９】本発明に係る実施形態１の箱状機器取付け金具を構成する第２金具の斜視図である。
【図１０】（ａ），（ｂ）それぞれ本発明に係る実施形態１の箱状機器取付け金具を構成する第２金具の正面図、背面図である。
【図１１】（ａ），（ｂ）それぞれ本発明に係る実施形態１の箱状機器取付け金具を構成する第２金具の平面図、底面図である。
【図１２】（ａ）〜（ｃ）それぞれ本発明に係る実施形態１の箱状機器取付け金具を構成する第２金具の左側面図、右側面図、図１０（ａ）におけるＡ−Ａ線断面図である。
【図１３】本発明に係る実施形態１の箱状機器取付け金具を例えば４組使用して箱状機器を４台設置した状態を示す平面図である。
【図１４】本発明に係る実施形態１の箱状機器取付け金具を例えば４組使用して箱状機器を４台設置した状態を示す左側面図である。
【図１５】図１４におけるＢ−Ｂ線断面図である。
【図１６】本発明に係る実施形態２の箱状機器取付け金具を構成する第２金具の左側面図である。
【発明を実施するための形態】
【００１０】
以下、本発明に係る箱状機器取付け金具の実施形態１，２について、図面を参照して説明する。なお、下記に説明する実施形態１、２はあくまで本発明の一例であり、本発明は下記の実施形態１，２に限定されるものではなく、本発明の技術思想の範囲内で適宜変更可能である。
【００１１】
実施形態１．
実施形態１の箱状機器取付け金具１は、図１や図２に示すようにアンテナや通信制御機器等の箱状機器２を鉄塔等の取付け対象物（図示せず。）に固定した直線状に延びる２本のベース金具３に取り付けるための金具で、図３〜図６等に示すように１個の第１金具１１と、２個の第２金具１２とを角根丸頭ボルト１５および六角ナット１４で座金等を介し固定して構成される。尚、ベース金具３には、それぞれ、箱状機器取付け金具１の第１金具１１を任意の場所に所定の間隔を開けて六角ボルト１３および六角ナット１４で固定できるよう、図１や図２等に示すように六角ボルト１３の軸部（ネジ部）が通る複数のボルト孔３１が設けられている。
【００１２】
（第１金具１１）
第１金具１１は、図１や図２に示すように所定間隔を開けた２本のベース金具３，３に対しその長手方向に対し垂直の角度を成すように取り付けられる長尺の板状金具で、図７および図８に示すように、図８（ａ）等に示すように平面視、台形の下辺左右両側にフランジを設けた形状に形成されており、台形形状の上底と平行な上側面部１１ａと、傾斜面部１１ｂ，１１ｂと、台形形状の下底と平行なフランジ部１１ｃ，１１ｃとを有している。
【００１３】
上側面部１１ａは、図３〜図６等に示すように、２個の第２金具１２が角根丸頭ボルト１５および六角ナット１４等で固定される部分で、角根丸頭ボルト１５の角根部分が嵌る正方形のボルト孔１１ａ１が、各種の箱状機器２の背面２１側の機器取付けネジ２２の高さに対応できるよう任意の間隔で複数（ここでは、例えば、８個設けている。）設けられている。
【００１４】
フランジ部１１ｃ，１１ｃは、図１や図２に示すように２本のベース金具３に当接して六角ボルト１３および六角ナット１４で座金やナット弛止めリング等を介し締結して固定される部分で、それぞれ、六角ボルト１３の軸部（ネジ部）が通る円形のボルト孔１１ｃ１が、２本のベース金具３の間隔に合わせて２箇所設けられている。
【００１５】
（第２金具１２）
第２金具１２は、図１〜図６に示すように、第１金具１１に角根丸頭ボルト１５および六角ナット１４等で固定されて取り付けられ、箱状機器２が取り付けられる側面視、台形の下辺左右両側にフランジを設けた形状に形成された長尺の板状金具を平面視Ｌ字形状に曲げた金具で、図９や図１０（ａ）〜（ｃ）等に示すように、第１金具１１に固定される第１金具固定部１２ａと、第１金具固定部１２ａに対しほぼ９０度曲げられて箱状機器２の背面２１側が固定される箱状機器固定部１２ｂとを有して構成される。
【００１６】
第２金具１２は側面視、台形の下辺左右両側にフランジを設けた形状に形成されているため、第１金具固定部１２ａは、上側面部１２ａ１と、傾斜面部１２ａ２，１２ａ２と、フランジ部１２ａ３，１２ａ３とを有する一方、箱状機器固定部１２ｂは、上側面部１２ｂ１と、傾斜面部１２ｂ２，１２ｂ２と、フランジ部１２ｂ３，１２ｂ３とを有する。
【００１７】
第１金具固定部１２ａは、図３〜図６等に示すように、第１金具１１に角根丸頭ボルト１５および六角ナット１４等で固定される部分で、図９や図１０（ａ）〜（ｃ）等に示すように、そのフランジ部１２ａ３，１２ａ３には、それぞれ、角根丸頭ボルト１５の軸部（ネジ部）が挿入される円形のボルト挿通孔１２ａ３１が形成されている。
【００１８】
箱状機器固定部１２ｂは、箱状機器２の背面２１側に螺合した機器取付けネジ２２を取り外さずに第２金具１２に取り付けることができるよう、図９や図１０（ａ），（ｂ）等に示すように機器取付けネジ２２の頭部が挿入可能なネジ頭部通し孔部１２ｂ４１と、ネジ頭部通し孔部１２ｂ４１に連続し、機器取付けネジ２２の頭部の外径よりも幅が狭く、機器取付けネジ２２の軸部が通る軸部通し孔部１２ｂ４２とを有する機器取付けネジ係合孔１２ｂ４が設けられている。
【００１９】
ここで、ネジ頭部通し孔部１２ｂ４１は、箱状機器２の背面２１側に螺合した機器取付けネジ２２を取り外さずに第２金具１２に取り付け易くなるよう、図９や図１０（ａ），（ｂ）、図１２（ｃ）等に示すように箱状機器固定部１２ｂの傾斜面部１２ｂ２，１２ｂ２の内、上側の傾斜面部１２ｂ２に形成されている。
【００２０】
一方、軸部通し孔部１２ｂ４２は、図９や図１０（ａ），（ｂ）、図１２（ｃ）等に示すように傾斜面部１２ｂ２に形成されたネジ頭部通し孔部１２ｂ４１に連続して、箱状機器固定部１２ｂの上側面部１２ｂ１に形成されている。
【００２１】
そのため、実施形態１の箱状機器取付け金具１では、図１や図２に示すように２本のベース金具３、３に対し第１金具１１を介して第２金具１２の第１金具固定部１２ａが平行に取り付けられ、２本のベース金具３、３に対し第２金具１２の箱状機器固定部１２ｂが直交して設けられるので、このように構成された箱状機器取付け金具１を複数組使用してアンテナや通信制御機器等の箱状機器２を取り付けた場合、箱状機器固定部１２ｂに取り付けられる箱状機器２の背面２１側も２本のベース金具３に対し直交するように取り付けることができる。
【００２２】
例えば、図１および図２に示すように、実施形態１の箱状機器取付け金具１を２組使用して、２台の箱状機器２をベース金具３に取付けたり、さらには、図１３に示すように実施形態１の箱状機器取付け金具１を４組使用して、４台の箱状機器２をベース金具３に取り付けることができる。つまり、ベース金具３に取り付ける実施形態１の箱状機器取付け金具１の組数を増減させれば、その分、箱状機器２の取り付け台数も増減することが可能となる。
【００２３】
また、その際、図１４や図１５等に示すように、箱状機器２の背面２１に螺合している機器取付けネジ２２を取り付けたまま機器取付けネジ２２の頭部をネジ頭部通し孔部１２ｂ４１へ挿入し、その後、箱状機器２を下げて機器取付けネジ２２の軸部を軸部通し孔部１２ｂ４２へ移行させることによって順次、複数台の箱状機器２を取り付けることができる。
【００２４】
従って、実施形態１の箱状機器取付け金具１によれば、ベース金具３に対し垂直の角度をなすように取り付けられる第１金具１１と、第１金具１１に固定される第１金具固定部１２ａおよびその第１金具固定部１２ａに対しほぼ９０度曲げられて箱状機器２の背面側が固定される箱状機器固定部１２ｂを有する平面視Ｌ字形状の第２金具１２とを備え、ベース金具３に対し箱状機器２の背面２１が直交するように箱状機器２を設置する。
【００２５】
そのため、実施形態１の箱状機器取付け金具１によれば、鉄塔等の取付け対象物（図示せず。）に固定したベース金具３に数多くの箱状機器２を設置することができる。
【００２６】
特に、箱状機器２の背面２１には機器取付けネジ２２が螺合して設けられており、実施形態１の箱状機器取付け金具１では、第２金具１２の箱状機器固定部１２ｂにおける複数の機器取付けネジ２２に対応する箇所に、機器取付けネジ２２の頭部が挿入可能なネジ頭部通し孔部１２ｂ４１と、そのネジ頭部通し孔部１２ｂ４１と連続して機器取付けネジ２２の頭部の外径よりも小さく、機器取付けネジ２２の軸部を通す軸部通し孔部１２ｂ４２とを有する機器取付けネジ係合孔１２ｂ４を設けている。
【００２７】
そのため、実施形態１の箱状機器取付け金具１によれば、箱状機器２の背面２１に螺合している機器取付けネジ２２を取り付けたまま機器取付けネジ２２の頭部をネジ頭部通し孔部１２ｂ４１へ挿入し、その後、箱状機器２を下げて機器取付けネジ２２の軸部を軸部通し孔部１２ｂ４２へ移行させることによって箱状機器２を取り付けることが可能となるので、箱状機器２の背面２１に螺合している機器取付けネジ２２を取り外す必要がなくなり、箱状機器２の設置作業の作業性も向上させることができる。
【００２８】
特に、箱状機器２を複数台設置する場合は、図１３等に示すように隣接する箱状機器２との間隔が狭くなるため、箱状機器２を箱状機器取付け金具１の第２金具１２の箱状機器固定部１２ｂに当てた後、箱状機器２の背面２１に機器取付けネジ２２を挿入し締め付ける作業は手間がかかるが、実施形態１の箱状機器取付け金具１の場合、箱状機器２の背面２１に螺合している機器取付けネジ２２を取り外すことなく設置できるので、箱状機器２を複数台設置する際の設置作業の作業性を向上させることができる。
【００２９】
また、実施形態１の箱状機器取付け金具１では、第２金具１２の箱状機器固定部１２ｂは、側面視、台形の下辺左右両側にフランジを設けた形状で、その台形形状の上底と平行な上側面部１２ｂ１と、傾斜辺と平行な一対の傾斜面部１２ｂ２，１２ｂ２と、下底と平行な一対のフランジ部１２ｂ３，１２ｂ３とを有し、ネジ頭部通し孔部１２ｂ４１は、箱状機器固定部１２ｂの一対の傾斜面部１２ｂ２，１２ｂ２の内、上側となる傾斜面部１２ｂ２に形成する一方、軸部通し孔部１２ｂ４２は、その傾斜面部１２ｂ２に形成されたネジ頭部通し孔部１２ｂ４１と連続して上側面部１２ｂ１に形成している。
【００３０】
そのため、実施形態１の箱状機器取付け金具１によれば、第２金具１２の強度が向上するだけでなく、箱状機器２の背面２１に螺合している機器取付けネジ２２を取り付けたまま箱状機器２を取り付け際に、箱状機器２の設置作業が容易になると共に、図１５等に示すように機器取付けネジ２２の頭部が箱状機器固定部１２ｂのフランジ部１２ｂ３，１２ｂ３よりも突出しないように構成することも可能となるので、箱状機器２の設置後、箱状機器２の設定やメンテナンスを行う際の作業性も向上させることができる。
【００３１】
実施形態２．
以上説明した実施形態１の箱状機器取付け金具１では、第２金具１２には、図１２（ａ）〜（ｃ）に示すようにフランジ部１２ａ３，１２ａ３に、第１金具１１と連結するため角根丸頭ボルト１５の軸部（ネジ部）が挿入される円形のボルト挿通孔１２ａ３１を形成したため、図１や図１３等に示すように複数組の箱状機器取付け金具１を使用して複数台の箱状機器２を取り付ける場合、隣接する箱状機器２間の間隔は、ベース金具３に対する箱状機器取付け金具１の取り付け位置を変えることでのみ変更可能である。
【００３２】
そこで、実施形態２の箱状機器取付け金具１では、ベース金具３に対する箱状機器取付け金具１の取り付け位置を変えること以外でも、簡単に隣接する箱状機器２間の間隔を調整できるようにしたことを特徴とするもので、第１金具１１は実施形態１のものと同じで、第２金具１２’の構成を実施形態１の第２金具１２と変更しているので、第２金具１２’の構成のみ図示して説明する。
【００３３】
図１６は、本発明に係る実施形態２の箱状機器取付け金具１を構成する第２金具１２’の左側面図である。
【００３４】
図１６に示すように、実施形態２の箱状機器取付け金具１を構成する第２金具１２’の第１金具固定部１２ａ’のフランジ部１２ａ３’，１２ａ３’には、それぞれ、その長手方向、すなわち第１金具１１が固定されるベース金具３の長手方向に長い長孔１２ａ３１’，１２ａ３１’を形成している。
【００３５】
そのため、ベース金具３に実施形態２の箱状機器取付け金具１を介して箱状機器２を複数台設置した後でも、ベース金具３に対する実施形態２の箱状機器取付け金具１の取り付け位置を変えずに、第２金具１２’の第１金具固定部１２ａ’の長孔１２ａ３１’，１２ａ３１’を利用して、第１金具１１に対する第２金具１２’の固定位置を調整することができる。
【００３６】
従って、実施形態２の箱状機器取付け金具１によれば、上記実施形態１の箱状機器取付け金具１と同様に、鉄塔等の取付け対象物（図示せず。）に固定したベース金具３に数多くの箱状機器２を設置することができると共に、箱状機器２の設置作業の作業性や、箱状機器２の設置後の箱状機器２の設定やメンテナンスを行う際の作業性も向上させることができる。
【００３７】
特に、実施形態２の箱状機器取付け金具１によれば、第２金具１２’の第１金具固定部１２ａ’の長孔１２ａ３１’，１２ａ３１’を利用して、ベース金具３に実施形態２の箱状機器取付け金具１を介して箱状機器２を複数台設置した後でも、ベース金具３に対する実施形態２の箱状機器取付け金具１の取り付け位置を変えずに第１金具１１に対する第２金具１２’の固定位置を調整することができるので、箱状機器２を複数台設置した際に箱状機器２間の間隔である離隔等を調整する際も、簡単に調整することが可能となり、この点でも作業性を向上させることができる。
【符号の説明】
【００３８】
１  箱状機器取付け金具
１１  第１金具
１１ａ  上側面部
１１ｂ  傾斜面部
１１ｃ  フランジ部
１１ｃ１  ボルト孔
１２，１２’  第２金具
１２ａ，１２ａ’  第１金具固定部
１２ａ１，１２ａ１’  上側面部
１２ａ２，１２ａ２’  傾斜面部
１２ａ３，１２ａ３’  フランジ部
１２ａ３１  ボルト孔
１２ａ３１’  長孔（ボルト孔）
１２ｂ  箱状機器固定部
１２ｂ１  上側面部
１２ｂ２  傾斜面部
１２ｂ３  フランジ部
１２ｂ４  機器取付けネジ係合孔
１２ｂ４１  ネジ頭部通し孔部
１２ｂ４２  軸部通し孔部
１３  六角ボルト
１４  六角ナット
１５  角根丸頭ボルト
２  箱状機器
２１  背面
２２  機器取付けネジ
３  ベース金具
３１  ボルト孔
【図１】
2020028156.tif 000003
【図２】
2020028156.tif 000004
【図３】
2020028156.tif 000005
【図４】
2020028156.tif 000006
【図５】
2020028156.tif 000007
【図６】
2020028156.tif 000008
【図７】
2020028156.tif 000009
【図８】
2020028156.tif 000010
【図９】
2020028156.tif 000011
【図１０】
2020028156.tif 000012
【図１１】
2020028156.tif 000013
【図１２】
2020028156.tif 000014
【図１３】
2020028156.tif 000015
【図１４】
2020028156.tif 000016
【図１５】
2020028156.tif 000017
【図１６】
2020028156.tif 000018